(57)【要約】【課題】建物の内部の空間と上階のバルコニー部を効率良く利用して、光を下階部分の奥部に効果的に採光することのできる採光構造部分を備える建物を提供する。【解決手段】本発明の建物１０は、屋外に面した外壁１４に隣接して設けられた下階居住部１５と、下階居住部１５の外壁１４側の部分の上階に設けられたバルコニー部１６と、バルコニー部１６の外壁１４と離れる側に隣接して設けられた下階居住部１５からの吹抜け部１７とによって構成される採光構造部分１３を備える。また吹抜け部１７の外壁１４と離れる側に隣接して、上階居住部１８が設けられている。吹抜け部１７は、下階居住部１５の床面から１．５層分の高さで設けられており、吹抜け部１７の上方には、上階部分から出し入れ可能な収納部１９が設けられている。さらに、吹抜け部１７よりも外壁１４と離れる側には、第２下階居住部２８が設けられている。【選択図】図２
2008014086.tif 000002
【特許請求の範囲】
【請求項１】
屋外に面した外壁に隣接して設けられた下階居住部と、該下階居住部の前記外壁側の部分の上階に設けられたバルコニー部と、該バルコニー部の前記外壁と離れる側に隣接して設けられた前記下階居住部からの吹抜け部とによって構成される採光構造部分を備える建物。
【請求項２】
前記吹抜け部の前記外壁と離れる側に隣接して、上階居住部が設けられている請求項１に記載の採光構造部分を備える建物。
【請求項３】
前記吹抜け部は、前記下階居住部の床面から１．５層分の高さで設けられており、前記吹抜け部の上方には、上階部分から出し入れ可能な収納部が設けられている請求項１又は２に記載の採光構造部分を備える建物。
【請求項４】
前記下階居住部は、前記吹抜け部よりも前記外壁と離れる側にさらに延設して設けられている請求項１〜３のいずれかに記載の採光構造部分を備える建物。
【請求項５】
前記吹抜け部よりも前記外壁と離れる側には、第２下階居住部が設けられている請求項１〜４のいずれかに記載の採光構造部分を備える建物。
【発明の詳細な説明】
【技術分野】
【０００１】
本発明は、吹抜け部からの採光を効率良く行うことのできる採光構造部分を備える建物に関する。
【背景技術】
【０００２】
屋外に面する外壁から離れた建物の奥部に光を効果的に採光できるようにする構造として、建物の内部に吹抜け部を設けると共に、これの天端部分に天窓を配置したものが知られている（例えば、特許文献１参照）。
【０００３】
また、ニ階の一画の床を高くして床高部屋を形成し、この床高部屋の直下の一階天井を高くし、床高部屋を中三階として使用すると共に、中三階の直下の部屋を吹抜けのある部屋として使用することにより、空間を有効利用できるようにした建物も開示されている（例えば、特許文献２参照）。
【特許文献１】特開２００１−１９３２９４号公報
【特許文献２】特開平１０−２６６５９１号公報
【発明の開示】
【発明が解決しようとする課題】
【０００４】
しかしながら、中三階の直下の部屋を吹抜けのある部屋として使用する場合、中三階の床によって光が遮断されることになるため、吹抜け部を設けたにもかかわらず、建物の奥部に光を効果的に採光することが困難である。また、建物の上階部分の外側には、日当たりのよい外部空間としてのバルコニー部が設けられ、物干し用の場所や日光浴の場所等として用いられることが多いが、このうようなバルコニー部には、隣接する上階部分の居住部との間に比較的開口面積の大きな窓やガラス戸が設けられている一方で、これらの窓やガラス戸から入射した光は、上階部分の居住部の床によって遮られて下階部分の居住部に届き難くなっている。
【０００５】
本発明は、建物の内部の空間と上階のバルコニー部を効率良く利用して、光を下階部分の奥部に効果的に採光することのできる採光構造部分を備える建物を提供することを目的とする。
【課題を解決するための手段】
【０００６】
本発明は、屋外に面した外壁に隣接して設けられた下階居住部と、該下階居住部の前記外壁側の部分の上階に設けられたバルコニー部と、該バルコニー部の前記外壁と離れる側に隣接して設けられた前記下階居住部からの吹抜け部とによって構成される採光構造部分を備える建物を提供することにより、上記目的を達成したものである。
【０００７】
そして、本発明の採光構造部分を備える建物は、前記吹抜け部の前記外壁と離れる側に隣接して、上階居住部が設けられていることが好ましい。
【０００８】
また、本発明の採光構造部分を備える建物は、前記吹抜け部が、前記下階居住部の床面から１．５層分の高さで設けられており、前記吹抜け部の上方には、上階部分から出し入れ可能な収納部が設けられていることが好ましい。
【０００９】
さらに、本発明の採光構造部分を備える建物は、前記下階居住部が、前記吹抜け部よりも前記外壁と離れる側にさらに延設して設けられていることが好ましい。
【００１０】
さらにまた、本発明の採光構造部分を備える建物は、前記吹抜け部よりも前記外壁と離れる側に、第２下階居住部が設けられていることが好ましい。
【００１１】
ここで、上記記載における１．５層分の高さは、一般に２３０〜４００ｃｍ程度の高さを有する建物の１層分の高さに、これの略半分程度の高さを加えて、１層分の高さと２層分の高さの中間部分に位置する高さを略称するものであり、１層分の高さの１．５倍の高さの他、１層分の高さの１．４０〜１．７５倍程度の高さを含むものである。また以下の記載において、０．５層分の高さは、一般に２３０〜４００ｃｍ程度の高さを有する１層分の高さの中間部分に位置する高さを略称するものであり、１層分の高さの１／２の高さの他、１層分の高さの４０〜７５％程度の高さを含むものである。
【００１２】
そして、本発明の採光構造部分を備える建物によれば、外壁に隣接する下階居住部の外壁側の部分の上階にバルコニー部が設けられており、且つバルコニー部に隣接して下階居住部からの吹抜け部が設けられているので、バルコニー部に設けられた窓やガラス戸から入射した光は、吹抜け部を介して一階部分に容易に入光することが可能になると共に、吹抜け部を挟んで外壁の反対側に位置する建物の奥部まで光が届きやすくなり、これによって、吹抜け部の天端部分に天窓が設けられていなくても、屋外に面する外壁から離れた建物の奥部まで十分な採光を得ることが可能になる。また下階居住部に設けられた吹抜け部によって、下階居住部は、開放感があり、ゆったりとして落ち着いた雰囲気の居住部を形成することが可能になる。
【００１３】
また、吹抜け部の外壁と離れる側に隣接して、上階居住部を設けておけば、例えば上階居住部と吹抜け部との間の仕切りを透光材を用いて形成することにより、吹抜け部から上階居住部に光を取り込むことが可能になり、これによって上階居住部を明るい雰囲気に形成することが可能になる。
【００１４】
さらに、吹抜け部を下階居住部の床面から１．５層分の高さで設けると共に、吹抜け部の上方に、上階部分から出し入れ可能な収納部を設けるようにすれば、上階部分から利用し易い十分な大きさの収納空間を確保することが可能になる。これによって、一般の２階建ての建物や狭小な敷地に建築されて床面積の狭い建物においても、これらの建物の高さの範囲で内部の空間を効率良く利用して、利便性に富んだ収納空間を得ることが可能になる。
【００１５】
さらにまた、下階居住部を、吹抜け部よりも外壁と離れる側にさらに延設して設けたり、第２下階居住部を、吹抜け部よりも外壁と離れる側に設けておけば、これらの延設部分や第２下階居住部にバルコニー部から入射した光を至らせて、より明るい雰囲気の下階居住部や第２下階居住部を形成することが可能になる。
【発明の効果】
【００１６】
本発明の採光構造部分を備える建物によれば、建物の内部の空間と上階のバルコニー部を効率良く利用して、光を下階部分の奥部に効果的に採光することができる。
【発明を実施するための最良の形態】
【００１７】
本発明の好ましい一実施形態に係る採光構造部分を備える建物１０は、図１示すように、例えば北側が道路１１に面した敷地１２に建築される住宅建築物として採用されたものである。すなわち、本実施形態では、建物１０が建築される敷地１２は、南北方向に縦長の矩形形状を有する狭小な敷地となっており、その東側及び西側に隣接する敷地や、南東側、南側、南西側に隣接する敷地にも建物が建築されている。したがって、本実施形態の建物１０は、特に南側に隣接する敷地に建築された建物に遮られて、太陽光からの光を採光し難くなっているので、後述する採光構造部分１３を設けて、建物１０の内部の空間と上階（ニ階）のバルコニー部１６を効率良く利用することにより、図２に示すように、屋外に面した南側の外壁１４から離れた建物１０の奥部に十分な採光が得られるようにするものである。
【００１８】
そして、本実施形態の建物１０は、図２〜図４に示すように、屋外に面した南側の外壁１４に隣接して設けられた下階（一階）居住部１５と、この下階居住部１５の外壁１４側の部分の上階（ニ階）に設けられたバルコニー部１６と、このバルコニー部１６の外壁１４と離れる側に隣接して設けられた下階居住部１５からの吹抜け部１７とによって構成される採光構造部分１３を備えている。
【００１９】
また、本実施形態の建物１０では、吹抜け部１７の外壁１４と離れる側に隣接して、上階居住部１８が設けられている。
【００２０】
さらに、本実施形態の建物１０では、吹抜け部１７は、下階居住部１５の床面から１．５層分の高さで設けられており、吹抜け部１７の上方には、上階（ニ階）部分から出し入れ可能な収納部１９が設けられている。
【００２１】
本実施形態によれば、建物１０は、例えば木造２階建ての住宅建築物であり、図５（ａ）〜（ｃ）に示すような外観形状を有している。すなわち、建物１０は、西向きに片流れの屋根２０ａによって覆われる西側主本体部２０と、この西側主本体部２０の東側外壁２０ｂに一体接合するように設けられた、東向きに片流れの屋根２１ａによって覆われる東側補助本体部２１とからなる。東側補助本体部２１は、西側主本体部２０よりも東西方向の幅が狭く、南北方向の長さが短く形成され、一階部分の南側に面した外壁１４を、西側主本体部２０の南側に面した外壁２０ｃに沿うように配置して構築される。また東側補助本体部２１には、バルコニー部１６、吹抜け部１７等の採光構造部分１３の主たる構成部分が設けられており、バルコニー部１６は、東側補助本体部２１の二階部分の南側に配設されている。さらに、西側主本体部２０の北側外壁２０ｂには、一階部分の西側に片寄った位置に、玄関出入口２３が設けられている（図５（ｃ）参照）。
【００２２】
そして、本実施形態によれば、図３（ａ）に示すように、建物１０の一階部分には、玄関出入口２３から入った北西の角部分に玄関２４が設けられており、玄関２４の南側には、玄関ホール２５及び廊下２６が南北方向に延設して設けられている。玄関２４及び玄関ホール２５の東側に隣接して、北側からバスルーム２２及び洗面脱衣所２７が設けられており、洗面脱衣所２７の南側に配置されて、廊下２６の東側には、第２下階居住部２８としての和室が設けられている。また、廊下２６の西側には、トイレ２９や納戸３０が西側の外壁に沿って設けられている。
【００２３】
和室１８の南側には、下階居住部１５としてのリビングダイニングが、一階の南東部分を占めるようにして設けられている。リビングダイニング１５には、一階部分の南側の外壁１４からバルコニー部１６の領域分離れて、東側補助本体部２１に配設された平面矩形形状の吹抜け部１７が、リビングダイニング１５の床面から１．５層分の高さで設けられている。また、リビングダイニング１５の西側には、キッチン３１が、一階の南西角部分に配置されて、リビングダイニング１５と連続するように設けられている。キッチン３１の北側には、西側の外壁に沿って、建物１０のニ階部分に昇降するための階段３２が設けられている。
【００２４】
図３（ｂ）に示すように、建物１０のニ階部分には、階段３２の東側に隣接して、南北方向に延設する廊下３３が設けられており、廊下３３の北側端部には、第３上階居住部３４が、一階部分の玄関２４、玄関ホール２５、バスルーム２２、洗面脱衣所２７等の上方に配置されて設けられている。また廊下３３の北側部分の西側には、トイレ３５が設けられており、廊下３３の東側には、上階居住部１８が、吹抜け部１７の北側に隣接して設けられている。さらに、廊下３３の南側端部には、第２上階居住部３６が、東側補助本体部２１に配設された吹抜け部１７及びバルコニー部１６の西側に隣接して設けられている。
【００２５】
また、第２上階居住部３６からは、西側主本体部２０の東側外壁２０ａ（図２参照）に設けたバルコニー出入口３７を介して、バルコニー部１６に出入り可能となっている。バルコニー部１６には、これの北側に隣接する吹抜け部１７との間の仕切り壁１６ａに、大きな開口面積の採光窓１６ｂが南方を向いて設けられている。さらに、バルコニー部１６には、その外側周縁部に沿って手摺り壁１６ｃが設けられている。
【００２６】
図２及び図４に示すように、本実施形態では、下階居住部１５の床面から１．５層分の高さで設けられた吹抜け部１７の上方に、収納部１９が設けられている。収納部１９には、第２上階居住部３６から、例えば昇降用梯子３８を用いて、第２上階居住部３６側に設けた収納部出入口３９を介して収納物を出し入れできるようになっている。また、収納部１９は、その天井部を２階の屋根裏部分４０に食い込ませて設けられていることにより、０．５層分の高さよりも大きな、十分な広さの収納空間を確保している。さらに、本実施形態では、収納部１９の上階居住部１８に隣接する側の部分を仕切板４１で仕切ると共に、底板４２を一段低く形成して、上階居住部１８から出し入れ可能な補助収納部４３を設けている。
【００２７】
さらにまた、本実施形態では、補助収納部４３よりも下方に位置する、上階居住部１８と吹抜け部１７との間の仕切り部分には、透光材を用いた透光性仕切り板４４が取り付けられている。これによって、バルコニー部１６からの光を、吹抜け部１７を経て上階居住部１８に取り込むことが可能になり、上階居住部１８を明るい雰囲気の居住部１８とすることが可能になる。本実施形態では、上階居住部１８の透光性仕切り板４４に面した部分に、机４５や椅子４６を備え付けておくことにより、当該透光性仕切り板４４に面した部分を、書斎コーナーとして有効利用している。
【００２８】
そして、上述の構成を備える本実施形態の建物１０によれば、屋外に面した外壁１４に隣接して設けられた下階居住部１５と、下階居住部１５の外壁１４側の部分の上階に設けられたバルコニー部１６と、バルコニー部１６の外壁１４と離れる側に隣接して設けられた下階居住部１５からの吹抜け部１７とによって構成される採光構造部分１３を備えているので、建物１９の内部の空間と上階のバルコニー部１６を効率良く利用して、光を下階部分の奥部に効果的に採光することができる。
【００２９】
すなわち、本実施形態によれば、外壁１４に隣接する下階居住部１５の外壁１４側の部分の上階にバルコニー部１６が設けられており、且つバルコニー部１６に隣接して下階居住部１５からの吹抜け部１７が設けられているので、バルコニー部１６に設けられた採光窓１６ｂから入射した光は、吹抜け部１７を介して一階部分に容易に入光することが可能になると共に、吹抜け部１７を挟んで外壁１４の反対側に位置する建物１０の奥部まで光が届きやすくなり、これによって、吹抜け部１７の天端部分に天窓が設けられていなくても、屋外に面する外壁１４から離れた建物１０の奥部まで十分な採光を得ることが可能になる。また下階居住部１５に設けられた吹抜け部１７によって、下階居住部１５は、開放感があり、ゆったりとして落ち着いた雰囲気のリビングダイニングを形成することが可能になる。
【００３０】
また、吹抜け部１７の外壁１４と離れる側に隣接して、上階居住部１８が設けられており、上階居住部１８と吹抜け部１７との間の仕切り部分に透光性仕切り板４４が設けられているので、バルコニー部１６からの光を吹抜け部１７を介して上階居住部１７に取り込むことが可能になり、これによって上階居住部１８を明るい雰囲気に形成することが可能になる。
【００３１】
さらに、吹抜け部１７を下階居住部１５の床面から１．５層分の高さで設けると共に、吹抜け部１７の上方に、上階部分から出し入れ可能な収納部１９や補助収納部４３を設けたので、上階部分から利用し易い、十分な大きさの収納空間を確保することが可能になる。これによって、一般の２階建ての建物や狭小な敷地に建築されて床面積の狭い建物においても、これらの建物１０の高さの範囲で内部の空間を効率良く利用して、利便性に富んだ収納空間を得ることが可能になる。
【００３２】
さらにまた、バルコニー部１６から入射した光を、吹抜け部１７を介して当該吹抜け部１７よりも外壁１４と離れる側に設けた第２下階居住部２８に容易に至らせることができるので、例えば障子戸で仕切った和室である第２下階居住部２８の雰囲気を、より明るく形成することが可能になる。
【００３３】
なお、本発明は上記実施形態に限定されることなく種々の変更が可能である。例えば、本発明の建物は、南北方向に縦長の矩形形状の敷地に建築されるものである必要は必ずしも無く、採光構造部分は、屋外に面した外壁が南側に向けて配置されたものである必要は必ずしも無い。採光構造部分の屋外に面した外壁は、南側以外の例えば西側やその他の方向に向けて配置されていても良い。また、採光構造部分は、２階建ての建物の他、例えば２階を下階部分、３階を上階部分として、３階建て以上の建物に設けて本発明を適用することもできる。
【図面の簡単な説明】
【００３４】
【図１】本発明の好ましい一実施形態に係る採光構造部分を備える建物が建築される敷地を説明する略示平面図である。
【図２】本発明の好ましい一実施形態に係る採光構造部分を備える建物の構成を説明する、図３（ａ），（ｂ）のＡ−Ａに沿った略示断面図である。
【図３】本発明の好ましい一実施形態に係る採光構造部分を備える建物の構成を説明する、（ａ）は１階部分の間取り図、（ｂ）は２階部分の間取り図である。
【図４】本発明の好ましい一実施形態に係る採光構造部分を備える建物の構成を説明する、図３（ａ），（ｂ）のＢ−Ｂに沿った略示断面図である。
【図５】本発明の好ましい一実施形態に係る採光構造部分を備える建物の外観形状を説明する、（ａ）は東立面図、（ｂ）は南立面図、（ｃ）は北立面図である。
【符号の説明】
【００３５】
１０  採光構造部分を備える建物
１３  採光構造部分
１４  屋外に面した南側の外壁
１５  下階居住部（リビングダイニング）
１６  バルコニー部
１６ａ  吹抜け部との間の仕切り壁
１６ｂ  採光窓
１７  吹抜け部
１８  上階居住部
１９  収納部
２０  西側主本体部
２１  東側補助本体部
４３  補助収納部
４４  透光性仕切り板
【図１】
2008014086.tif 000003
【図２】
2008014086.tif 000004
【図３】
2008014086.tif 000005
【図４】
2008014086.tif 000006
【図５】
2008014086.tif 000007